(57)【要約】      （修正有）【課題】身体に流れる１４経絡に対して特定の１４色刺激を与えることで経絡の異常により筋力低下したものが回復し身体機能の改善する肌着及び衣服を提供する。【解決手段】頚部周りの前部正中を通る任脈にはこうろぜん（黄櫨染）色、後部正中を通る督脈にはピアニー色の２色を特定し、上腕部から手関節部を通る肺経、心包経、心経、大腸経、三焦経、小腸経の６つの各経絡にはそれぞれ、白色、スカーレット色、さんご色（珊瑚色）、うすくれない（薄紅）、濃紺（のうこん）、いっこんぞめ（一斤染）の６色を用いた色を特定し、胴回りや下腿部から足関節部を通る肝経、脾経、腎経、膀胱経、胆経、胃経の６つの経絡にはそれぞれ群青色、ベージュ、ミッドナイトブルー、黒、コバルトグリーン、アップルグリーン色の６色を特定し、合計１４色の特定した色を用いた色刺激用肌着及び衣服。【選択図】図１
2008006251.tif 000002
【特許請求の範囲】
【請求項１】
身体に流れている１４本の各経絡に対し、色の影響を与える衣服であり、その各経絡に影響を与える色は、任脈にはこうろぜん（黄櫨染）色、督脈にはピアニー色、肺経には白色、心包経にはスカーレット色、心経にはさんご色（珊瑚色）、大腸経にはうすくれない（薄紅）、三焦経には濃紺（のうこん）、小腸経にはいっこんぞめ（一斤染）、肝経には群青色、脾経にはベージュ、腎経にはミッドナイトブルー、膀胱経には黒、胆経にはコバルトグリーン、胃経にはアップルグリーン色の合計１４色の特定した色であって、この色を用いて各経絡の通過している頚部回り、肩口、袖口、胴回り、肩上部等の折り返し部に、又は重ね合わさった部分の内部に１４の経絡に対応した１４色を、配色および配置することで、一定の色刺激を経絡に与えることのできる色刺激用肌着及び衣服。
【請求項２】
１４の経絡に色の影響を与える衣服であって、
頚部回りの前部を通る任脈にはこうろぜん（黄櫨染）色、胃経にはアップルグリーン色を使用、頚部回りの後部を通る督脈にはピアニー色、膀胱経には黒色を使用し、
頚部回りには、こうろぜん（黄櫨染）、アップルグリーン、ピアニー色、黒色の４色を特定し、経絡の通過している頸から胴回りまでの間で経絡と交わるように色を配色および配置し、
肩上部を通る大腸経にはうすくれない色、三焦経には濃紺、小腸経にはいっこんぞめ色、胆経にはコバルトグリーン色を使用、肩上部には、この４色を特定し、経絡の通過している側頚部から肩峰部までの間で経絡と交わるように色を配色及び配置し、
腕回り部手掌面部を通る肺経には白色、心包経にはスカーレット色、心経にはさんご色（珊瑚色）を使用、腕回り部手背面を通る大腸経にはうすくれない（薄紅）、三焦経には濃紺（のうこん）、小腸経にはいっこんぞめ（一斤染）色を使用し、
腕回り部には、白色、スカーレット色、さんご色（珊瑚色）、うすくれない（薄紅）、濃紺（のうこん）、いっこんぞめ（一斤染）の６色を特定し、経絡が通過している袖口部から肩口部の間で、経絡と交わるように色を配色および配置する、
胴回りを通過する肝経には群青色、脾経にはベージュ、腎経にはミッドナイトブルー、膀胱経には黒、胆経にはコバルトグリーン、胃経にはアップルグリーン色を使用、胴回り部には、この６色を特定し、経絡が通過している臍回りから股関節上端部の間で、経絡と交わるように色を配色および配置する、
１４色の特定した色を用いて各経絡に影響を与えることを特徴とする色刺激用肌着及び衣服。
【請求項３】
色刺激用肌着及び衣服において、１４の経絡が通過している首回り、肩口、袖口、胴回り、肩上部等の折返し部に、又は重ね合わさった部分の内部に、各経絡に対応した色の糸を挿入した事を特徴とする請求項１又は請求項２に記載の色刺激用肌着及び衣服。
【請求項４】
挿入する色の糸が、１４の経絡に対して最低各一本であることを特徴とする請求項３に記載の色刺激用肌着及び衣服。
【請求項５】
色刺激用肌着及び衣服において、１４の経絡の通過している首回り、肩口、袖口、胴回り、肩上部等の折返し部に、又は重ね合わさった部分に、各経絡に対応した色をプリントした事を特徴とする請求項１又は請求項２に記載の色刺激用肌着及び衣服。
【請求項６】
プリントした色が線状であることを特徴とする請求項５記載の色刺激用肌着及び衣服。
【発明の詳細な説明】
【技術分野】
【０００１】この発明は身体に流れている１４の経絡に対して特定の色刺激を与える事で、経絡の異常により筋力低下した症状が回復し身体機能を改善する肌着及び衣服に関するものである。
【背景技術】
【０００２】人体に経絡という１４本の流れがある。それを図１０において説明する、ただ図面ではわかりにくくなる為、経絡の流れを左右対称に表していない、しかし左右対称に流れている経絡が１２本、前後の正中部を流れている経絡が２本ある。【０００３】詳しく説明すると、上肢部では左右対称の６経の流れがあり、手掌側に１１，１２，１３の３経が流れている。１１は肺経の流れで左右対称の前胸部から両拇指に流れ１２は心包経の流れで左右の前胸部から左右第４指に流れ、１３は心経の流れで左右の腋下部から左右の第５指に流れている。【０００４】また、手背側には１４，１５，１６の３経の流れがあり、１４は大腸経の左右の第２指から肩上部、頚部を経由し顔面の左右の鼻翼部に流れ、１５は三焦経の流れで左右の第４指から肩上部、頚部を経由し顔面の左右の眉外端部に流れ、１６は小腸経の流れで左右の第５指から肩上部、頚部を経由し顔面の耳孔の前に流れている。【０００５】また下肢部でも左右対称の６経の流れがあり、下腿内側には１７，１８，１９の３経が流れている。１７は腎経の流れで左右の足底部から腹部を経由し、左右の鎖骨内端の真下まで流れ、１８は脾経の流れ拇趾内側から腹部を経由し、左右の側胸部に流れ、１９は肝経の流れで左右の拇趾外側から腹部を経由し、左右の胸部の下端部に流れている。【０００６】また、下腿外側部には２０，２１，２２の３経の流れがあり、２０は胃経の流れで左右の眼科部から頚部、腹部を経由し左右の足の第２指に流れ、２１は胆経の流れで左右の眼の外端部から、頚部、肩上部、腹部を経由し左右の足の第５指に流れ、２２は膀胱経の流れで左右の眼の内端部から頚部、腰背部を経由し左右の足の第５指に流れている。【０００７】躯幹中央部には前後一本ずつで２３，２４の２経の流れがあり、２３は任脈の流れで正中下端の会陰部から腹部前面を上下し下唇の中央真下に流れる。２４は督脈の流れで正中下端の尾骨先端部から背部を上下し頭部を経由し、上唇の中央真上に流れる。【０００８】これら身体に流れている経絡に対し、特定の色を与えて身体機能を改善する技術として今までに色々な公報が開示されている。【０００９】特開平１０−１１８１５２に記載されている「バンド」は、五色に色分けされた２バンドを身体各部の頚部、手関節、腹部、膝関節部などに別々に装着することにより、プラスの静電気が除去され、血流、リンパ液の流れを改善することを目的として作成されている。【００１０】特開２００２−２０００８５に記載されている「各臓器・経絡の異常の検知及びその健康維持用部材」は、身体の各臓器や１４経絡の異常を起こした場合に検知する色や、健康を維持するための色が明記されており、その基準はオーリングテストを使い同一物質に於ける共鳴現象を利用し、判断し決定している。各臓器・各経絡に異常があれば一目で異常時の色や、健康維持に必要な健康維持色が分かるものであり、身体機能を改善する技術として用いられている。【００１１】特許２７５００８８に記載されている「人体表色地図とこれによる治療材料及び治療方法」は身体各部を五行表に沿って青、赤、黄、白、黒の五色に色分けし、疼痛が有ればその疼痛部分の人体表色地図に対応した色のテープを貼付、或いは五色に対応した五味に相当する酢（青）、苦（赤）、甘（黄）、辛（白）、鹹（黒）などの液汁を用いて幹部に塗布することで疼痛の緩解に役立てる方法が用いられている。【００１２】実登３０４４３０６に記載されている「色彩療法用シール」は経絡上の内臓反射点、神経反射点、経穴に対応する色のシールを皮膚に貼着させ、シールを透過した色彩光が生体反応を好転させ、患者の健康状態を改善させる方法を用いている。【００１３】実登３０２４４３３に記載されている「経絡治療用シール」はダイオードを利用し、経絡の流れの早さを正常値に調整することで、病気の緩解を計る方法が用いられている。この際に青、赤、黄、白、黒、桃色に着色されたシールを使用することでより効果を挙げると記載されている。【００１４】
【特許文献１】特開平１０−１１８１５２号公報
【特許文献２】特開２００２−２０００８５号公報
【特許文献３】特許２７５００８８号公報
【特許文献４】実登３０４４３０６号公報
【特許文献５】実登３０２４４３３号公報
【００１５】各特許文献には身体に対し色彩の影響を与え、経絡の流れや血流、リンパの流れを改善するものや、生体反射点に刺激を与えて健康を維持するもの、健康維持用部材に種々な構成が記載されている。
【発明の開示】
【発明が解決しようとする課題】
【００１６】しかしながら、特開平１０−１１８１５２号公報に記載されている「バンド」は頚部、手関節部、腹部、膝関節部など各疼痛部分に、その都度装着しなければならない不便さがあり、１４の経絡に対して５色で対応しようとしている為、全ての経絡に対して充分な効果があるとは思えない。【００１７】また、特開２００２−２０００８５号公報に記載されている「各臓器・経絡の異常の検知及びその健康維持用部材」については各経絡、各臓器についての異常検知色や健康維持色についての検知法を公開されているが、取り扱いについては専門の筋力テスト法（オーリングテスト法）の習得が必要であり使用しづらい点があり同時に１４の経絡に対してそれぞれ特定の色を採用しているが、一部の色については筋力低下の改善に充分に対応していない点が挙げられる。【００１８】また、特許２７５００８８号公報に記載されている「人体表色地図とこれによる治療材料及び治療方法」では、身体各部を経絡分布によって５色分けし、人体表色地図に従って５色のテープを貼付することで治療効果を得る方法がとられている。各疼痛部分を人体表色地図に照らし合わせながら貼付色を確定し、その都度テープを貼付しなければならない不便さと、１４の経絡に対し５色で対応しようとしている為、全ての経絡に対して充分な効果があるとは思えない点が挙げられる。【００１９】また、実登３０４４３０６号公報に記載されている「色彩療法用シール」については、経絡上の内臓反射点、神経反射点、経穴に対し、１５種類の色彩シールを用意し症状に合わせ対応する色のシールを内臓反射点、神経反射点、経穴等に貼着しなければならない。そのため内臓反射点、神経反射点、経穴等の専門知識が必要であること、さらにシール貼着後、貼着部の肌を適当時間露出し自然光にさらさなければならないなど使用しづらい点が挙げられる。【００２０】また、実登３０２４４３３号公報に記載されている「経絡治療用シール」については、シールの貼付する場所によって経絡の流れの方向性が異なるため、各経絡の流れの方向性、経穴の場所を知らなければならない。また皮膚に貼付する等の煩わしさがある。
【課題を解決するための手段】
【００２１】そこで、これらの課題を解決するために、
１）経絡に対して効果的な色を特定する
２）経絡、経穴、反射点などの専門知識が不要であること
３）皮膚に貼付、貼着する必要のないこと
４）オーリングテストなどの技術の習得が不要であること
等を考慮した結果、本発明を考えた。【００２２】本発明は身体に流れている１４本の各経絡に対し、色の影響を与える衣服であり、その各経絡に影響を与える色は、任脈にはこうろぜん（黄櫨染）色、督脈にはピアニー色、肺経には白色、心包経にはスカーレット色、心経にはさんご色（珊瑚色）、大腸経にはうすくれない（薄紅）、三焦経には濃紺（のうこん）、小腸経にはいっこんぞめ（一斤染）、肝経には群青色、脾経にはベージュ、腎経にはミッドナイトブルー、膀胱経には黒、胆経にはコバルトグリーン、胃経にはアップルグリーン色の合計１４色の特定した色であって、この色を用いて各経絡の通過している頚部回り、肩口、袖口、胴回り、肩上部等の折り返し部に、又は重ね合わさった部分の内部に１４の経絡に対応した１４色を、配色および配置することで、一定の色刺激を経絡に与えることのできる色刺激用肌着及び衣服を採用し解決を試みた。【００２３】１４の経絡に色の影響を与える衣服であって、
頚部回りの前部を通る任脈にはこうろぜん（黄櫨染）色、胃経にはアップルグリーン色を使用、頚部回りの後部を通る督脈にはピアニー色、膀胱経には黒色を使用し、
頚部回りには、こうろぜん（黄櫨染）、アップルグリーン、ピアニー色、黒色の４色を特定し、経絡の通過している頸から胴回りまでの間で経絡と交わるように色を配色および配置し、
肩上部を通る大腸経にはうすくれない色、三焦経には濃紺、小腸経にはいっこんぞめ色、胆経にはコバルトグリーン色を使用、肩上部には、この４色を特定し、経絡の通過している側頚部から肩峰部までの間で経絡と交わるように色を配色及び配置し、
腕回り部手掌面部を通る肺経には白色、心包経にはスカーレット色、心経にはさんご色（珊瑚色）を使用、腕回り部手背面を通る大腸経にはうすくれない（薄紅）、三焦経には濃紺（のうこん）、小腸経にはいっこんぞめ（一斤染）色を使用し、
腕回り部には、白色、スカーレット色、さんご色（珊瑚色）、うすくれない（薄紅）、濃紺（のうこん）、いっこんぞめ（一斤染）の６色を特定し、経絡が通過している袖口部から肩口部の間で、経絡と交わるように色を配色および配置する、
胴回りを通過する肝経には群青色、脾経にはベージュ、腎経にはミッドナイトブルー、膀胱経には黒、胆経にはコバルトグリーン、胃経にはアップルグリーン色を使用、胴回り部には、この６色を特定し、経絡が通過している臍回りから股関節上端部の間で、経絡と交わるように色を配色および配置する、
１４色の特定した色を用いて各経絡に影響を与えることを特徴とする色刺激用肌着及び衣服を採用し解決を試みた。【００２４】色刺激用肌着及び衣服において、１４の経絡の通過する首回り、肩口、腕回り、胴回り、肩上部等の折り返し部に、又は重ね合わさった部分の内部に各経絡に対応した色の糸を挿入した事を特徴とする、色刺激用肌着及び衣服を採用し解決を試みた。【００２５】また挿入する色の糸が，１４の経絡に対して最低各一本であることを特徴とする、色刺激用肌着及び衣服を採用し解決を試みた。【００２６】なお、色刺激用肌着及び衣服において、１４の経絡の通過する首回り、肩口、腕回り、胴回り、肩上部等の折り返し部に、又は重ね合わさった部分の内部に各経絡に対応した色をプリントした事を特徴とする、色刺激用肌着及び衣服を採用し解決を試みた。【００２７】この発明に於いて特定した経絡に影響を及ぼした１４本の糸の色を、京都染色試験場において測色して貰った、その試験方法と結果は次の通りである。
１）測色機はＭａｃｂｅｔｈ  Ｃｏｌｏｒ  Ｅｙｅ  ３０００を使用した
２）測色条件は  ＵＶ（ＩＮ）  ＳＣＥ  ＳＡＶ（ＯＵＴ）Ｃ光源  ２度視野
３）測色は各々の色の試料に対して３回ずつ行い、結果はその平均値を示した。
2008006251.tif 000003
５）表示を４原色の表現にすると下記の通りである
2008006251.tif 000004
2008006251.tif 000005
【００２８】また、プリントした色が線状であることを特徴とする、色刺激用肌着及び衣服を採用し解決を試みた。
【発明の効果】
【００２９】このような色刺激用肌着及び衣服を採用することで、
１）  内臓反射点、神経反射点、経穴等の専門知識や筋力テスト法、オーリングテスト法などの専門技術がいらない。
２）  テープ及びシールを貼付、貼着する煩わしさがなく、着用するだけで経絡に色刺激効果を連続して与える事ができ、経絡を賦活し皮膚内臓反射によって身体機能が活性化する。
３）  一経絡に対し一色の色でよく、その太さは糸一本分でよいため、着色部が限りなく少なく、色彩やファッション性に影響を与えない。
４）  どの様な色彩の服と重ね着しても効果が減少しない。
５）  経絡の異常によって起因した筋力の弱化が改善され、経絡に関連した筋肉の筋力が安定し、身体バランスが良くなり筋力の不安定によって引き起こされていた身体各部の痛みなどが改善される。
６）  着脱が簡単である。
７）  折り目の内部に糸を挿入、或いはプリントするため表面から着色部がみえない。
等の効果が得られる。
【発明を実施するための最良の形態】
【００３０】
【００３１】以下、本発明の実施例を図１〜図９で説明する。【００３２】図１、図２に示しているのはＴシャツを正面から見たものと背面から見たものであって、頚部前面部の１、腕回り部の３、胴回り部の４、頚部後面部の５には生地の折り返し部が設けられており、肩上部の２には生地の継ぎ目部で内側から当て布が施されている（あて布が施されて無い場合もある）Ｔシャツである。【００３３】使用した糸は筋反射テストを使って、経絡にどの様な色が適しているかを判断し、一番筋肉に力が入った色の糸を選択しＴシャツに挿入した。【００３４】１４経絡に対応する最適な色として、合計１４色を特定した選択方法は、胆経であれば胆経に異常がでれば弱くなる三角筋（前部）、膝窩筋を検査筋として選択し、これらの筋肉が一番強くなる糸の色を選びながら胆経に最適な色を特定していった。【００３５】具体的な方法としては、後に記載してある最大筋力測定装置「トレマックス」を使用して最大筋力の変化を測定した方法と同様、棒磁石を胆経の流れに沿うよう上流にＮ極、下流にＳ極を貼付し筋力を測定した。この場合、胆経に関連している筋肉、即ち三角筋（全部）  膝窩筋の筋力は落ちない。しかし胆経の流れに逆らうように上流にＳ極、下流にＮ極を貼付すると胆経に関連している二つの筋肉の筋力は極端に低下する。この状態に於いて色の豊富な各ミシン糸メーカーのミシン糸を経絡に当てながら筋力が強くなる色を探していくと、特定の色の糸にのみ反応することが判った。何度も繰り返し実験をした結果、胆経では弱った筋力が一番強くなる色としてコバルトグリーンを特定した。【００３６】以下同様に肺経では烏口腕筋または前鋸筋、大腸経では大腿筋膜張筋、脾経では広背筋、胃経では大胸筋鎖骨部、心包経では中・小臀筋、三焦経では小円筋、心経では肩甲下筋、小腸経では大腿四頭筋、肝経では大胸筋胸肋部、胆経では三角筋（前部）、腎経では大腰筋、膀胱経では腓骨筋、任脈では棘上筋、督脈では大円筋を主たる筋肉として実験し、１４の経絡に関連する特定の糸を選択していった。【００３７】特定した糸を京都染色試験場において測色して貰い、結果を経絡に影響する色として記載した。【００３８】経絡の通過している部分に経絡に対応した色の糸を挿入したＴシャツを作製した。頚部前面部１を通過する経路は任脈の２３と胃経の２０で、この２経に関係する色はそれぞれ１１３のこうろぜん（黄櫨染）色と１１０のピアニー色の２色である。この２色を図３の部分に左右の側頚間の幅で、図７のように折り返し部分に２本の糸を挿入した。【００３９】肩上部２を通過する経絡は大腸経の１４、小腸経の１６、胆経の２１、三焦経の１５の４経で、この経絡に関係する色はそれぞれ１０４のうすくれない（薄紅）色、１０６のいっこんぞめ（一斤染）色、１１１のコバルトグリーン色、１０５の濃紺（のうこん）色の４色である。この４色を図１−２・図２−２の部分で側頚部から肩峰部の間で左右の肩上部に、図９のように肩上部の当て布部分の間に４本の糸を挿入した。【００４０】腕回り部３を通過する経絡は肺経の１１、大腸経の１４、心包経の１２、三焦経の１５、心経の１３、小腸経の１６の６経で、この経絡に関係する色はそれぞれ１０１の白色、１０４���うすくれない（薄紅）色、１０２のスカーレット色、１０５の濃紺（のうこん）色、１０３のさんご色（珊瑚色）色、１０６のいっこんぞめ（一斤染）色の６色である。この６色を左右の腕回り図５の部分に、図８のように折り返し部分に６本の糸を腕周りを一周するように挿入した。【００４１】胴回り前面部４を通過する経絡には肝経の１９、腎経の１７、脾経の１８、胆経２１、任脈の２３と胃経の６経が関係しそれらに関連する色はそれぞれ１０９の群青色、１０７のミッドナイトブルー色、１０８のベージュ色、１１１のコバルトグリーン色、１１３のこうろぜん（黄櫨染）色、１１０のアップルグリーン色の６色である。この６色を図４の部分に両腋下線間の幅で、図８のように折り返し部分に６本の糸を挿入した。【００４２】頚部後面部５を通過する経絡は膀胱系２２と督脈の２４でこの２経に関係する色はそれぞれ１１２の黒色と１１４のピアにー色の２色である。この２色を図４の部分に左右の側頚部の幅で、図７のように折り返し部分に２本の糸を挿入した。【００４３】経絡に対応する１４色で加工したこの肌着を着用し、兵庫県立総合体育館に設置されている最大筋力測定装置「トレマックス」を使用して最大筋力の変化を測定した。測定した実験の結果は、表１の通りである。【００４４】測定の仕方はそれぞれ、ｉ、ｉｉ、ｉｉｉの状態にて測定したものである。
ｉ−通常の状態にて測定した最大筋力。
ｉｉ−ストレスを加えた状態で測定したものである、即ち、経絡の流れの方向性に逆らい上流にＳ極、下流にＮ極がくるように棒磁石を測定したものである。
ｉｉｉ−ｉｉのストレスを加えた状態で、肌着を着用し筋力テストをしたものである。
【表１】
2008006251.tif 000006
【００４５】表１の見方を説明する。例えばＡ氏の測定結果について見ると、後大腿筋の場合、ｉ）の通常の筋力の測定結果は３２．７ｋｇであった。次にｉｉ）の後大腿筋に関連する経絡に負担を掛けた状態で測定すると、３０．２ｋｇになり２．５ｋｇ筋力が低下した。さらにｉｉｉ）では経絡に負担の掛った状態で、色加工した肌着を着用し筋力を測定すると３７．２ｋｇになった。結果は経絡に負担の掛った状態においても筋力が７ｋｇ増加した。このように各筋肉に於いて、同様の方法で測定したところ上記のような結果が得られた。【００４６】この実験結果を全体的に見ると、ｉ）の結果に対し、ｉｉ）の測定結果は、３．７％上昇したものから最大２７％まで下がった筋肉があった、平均では１４．５％下がり。測定筋に対応する経絡に負担が掛ると、筋力の低下を招くことが実証された。【００４７】次に、ｉｉ）の測定した結果に対しｉｉｉ）の肌着を着用した後の測定結果は、筋力が下がったものはなく、最大１９．５％上昇し、平均では１３．４％筋力の上昇があった。【００４８】これらのことから経絡に負担が加わった状態でも、経絡に対応した色刺激を加えることで、筋力が落ちることなく影響を受けにくくなる。と同時に負担のかかった経絡、即ち身体に対する負担を軽減するひとつの方法として色刺激が有効であることが判明した。【００４９】この肌着を着用し実験した結果、個人差は生じるものの、１４の経絡に関連した主たる筋肉（肺経−烏口腕筋または前鋸筋、大腸経−大腿筋膜張筋、脾経−広背筋、胃経−大胸筋鎖骨部、心包経−中・小臀筋、三焦経−小円筋、心経−肩甲下筋、小腸経−大腿四頭筋、肝経−大胸筋胸肋部、胆経−三角筋（前部）、腎経−大腰筋、膀胱経−腓骨筋、任脈−棘上筋、督脈−大円筋）の左右の筋力テストをした結果、着用前に差のあった筋力が、着用後ではその差が減少、もしくは消失した効果があった。【００５０】今回、実験に使用した肌着は１４色の糸を挿入した肌着を採用したが、各経絡に対応した色を生地直接にプリントしても良いし、生地にプリントした布を該当部分に貼り付けても良い。この様に図１・図２の１〜５の該当部分に各経絡に対応した色彩を加工するが、経絡通過部によって重複する色があるが、この中から全ての部分に１４色を選択しても良い。また１経絡に１色だけ対応し１４色だけを選択しても良い。【００５１】尚、肌着及び衣服とは、Ｔシャツ、ランニングシャツ、ブラジャー、タンクトップ、スポーツブラ、カッターシャツ等を総称しているものであり、本文では肌着（Ｔシャツ）を作製し説明した。【００５２】また、色の位置であるが、頚部の前面部分を通過する経絡に関連する色の位置は両側頚間の幅で頚周りから胴回り下端までの間であれば、どの高さの位置の部分でも良く、長さは側頚間の幅だけでも、頚回りまたは胴回りを一周しても良い。【００５３】また、腕回りを通過する経絡に関連する色の位置は、腕周りを一周しても良いし経絡部分掛るのであれば部分的な加工でも良い、その位置は肩口部分から袖口までの間であればどの位置でも良い。【００５４】また、胴回り前面部を通過する経絡に関連する色の位置は、臍の高さから股関節上端までの間であればどの高さの位置でもよく、また胴回りの前面部だけども胴回りを一周しても良い。【００５５】また、頚部後面部を通過する経絡に関連する色の位置は、両側頚間の幅で頸周りから胴回り下端までの間であれば、どの位置でもよく、長さは側頚間の幅だけでも頸周りまたは胴回りを一周しても良い。【００５６】これらの構成によって作製した肌着は、肌着の折り目、又は生地の重なった部分に糸を挿入しているため、外部から着色部が見えず、ファンション性に影響を与えず、重ね着してもかさばらず、またテープ及びシールを貼付、貼着する煩わしさがなく、着用するだけで経絡に色刺激効果を連続して与えられ、また着脱が簡単であるなどの効果があり、特に経絡の異常によって生じた、経絡に関連する筋肉の筋力低下が修正されるなどの効果が高かった。
【産業上の利用可能性】
【００５７】身体における経絡と筋肉、そして色との関連に於いて、どのような利用ができるか、実験を行った結果１４経絡には少なくとも１４色の色との関係が存在することが判明した。色によって経絡が影響を受け、経絡に関連している筋力が回復すれば、これまで、あらゆる治療体系に於いて、傷病や疾病の根幹と考えられてきた、身体の筋肉などの支持組織における前後・左右・捻れ方向のアンバランスが軽減される。例えば、関節運動に関しては上記の方向性を持った支持組織の筋肉が安定することで、関節全体がスムーズな動きをし、各関節の痛み等が軽減すると共に、障害を引き起こす可能性が低くなり怪我の予防につながる。事実この実験中に何人もの人が腰痛や、膝関節痛、肩凝り、の症状の軽減を経験している。更には、内臓疾患に関しても、体幹部の筋肉のアンバランスを軽減することにより、背骨の歪みに対し矯正補助される。その結果、自律神経（交感神経・副交感神経）の緊張の緩和が生じ、内臓器官や内分泌器官に影響を及ぼし、消化・代謝・ホルモンバランス等の生理的に活動の改善が見込まれる。以上の理論・考察を実際に作用させるには、先の実験で判明した色彩を肌着、カッターシャツ、衣服等に活用し、スポーツの現場や日常生活などのＴＰＯに左右されることなく簡単に利用できるものとした。
【図面の簡単な説明】
【００５８】
【図１】本発明の実施例としての肌着を示す正面図
【図２】本発明の実施例としての肌着を示す後面図
【図３】頚部前面部配色図
【図４】頚部後面部配色図
【図５】腕回り部配色図
【図６】胴回り部前面部配色図
【図７】頚部前面部及び後面部の断面図
【図８】腕回り部及び胴回り部の断面図
【図９】肩上部の断面図
【図１０】経絡の概略図
【符号の説明】
【００５９】１  頚部前面部
２  肩上部分
３  腕回り部分
４  胴回り部分
５  頚部後面部
１１  肺経（左右対称）
１２  心包経（左右対称）
１３  心経（左右対称）
１４  大腸経（左右対称）
１５  三焦経（左右対称）
１６  小腸経（左右対称）
１７  腎経（左右対称）
１８  脾経（左右対称）
１９  肝経（左右対称）
２０  胃経（左右対称）
２１  胆経（左右対称）
２２  膀胱経（左右対称）
２３  任脈（正中部のみ）
２４  督脈（正中部のみ）
１０１  肺経に対応する白色の糸
１０２  心包経に対応するスカーレット色の糸
１０３  心経に対応するさんご（珊瑚色）色の糸
１０４  大腸経に対応するうすくれない（薄紅）色の糸
１０５  三焦経に対応する濃紺（のうこん）色の糸
１０６  小腸経に対応するいっこんぞめ（一斤染）色の糸
１０７  腎経に対応するミッドナイトブルー色の糸
１０８  脾経に対応するベージュ色の糸
１０９  肝経に対応する群青色の糸
１１０  胃経に対応するアップルグリーン色の糸
１１１  胆経に対応するコバルトグリーン色の糸
１１２  膀胱経に対応する黒色の糸
１１３  任脈に対応するこうろぜん（黄櫨染）色の糸
１１４  督脈に対応するピアニー色の糸
【図１】
2008006251.tif 000007
【図２】
2008006251.tif 000008
【図３】
2008006251.tif 000009
【図４】
2008006251.tif 000010
【図５】
2008006251.tif 000011
【図６】
2008006251.tif 000012
【図７】
2008006251.tif 000013
【図８】
2008006251.tif 000014
【図９】
2008006251.tif 000015
【図１０】
2008006251.tif 000016
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
身体に流れている１４本の各経絡に対し一定の色刺激を各経絡に与えることのできる色刺激用肌着及び衣服であって、肌着及び衣服の頚回りの折返し部の内部又
2008006251.tif 000017
１２／１８．１０）以下同様に表示〕、アップルグリーン色（７３．４７／−３６．０５／６５．９４）、ピアニー色（２６．４８／３６．６１／−１０．２５）、黒色の４色の糸を各一本挿入し、肌着及び衣服の肩上部の折り返し部の内部又は布の重ね合わさった部分にはうすくれない色（４３．６８／３３．０２／１７．８６）、濃紺色（１８．３２／７．３９／−２０．２４）、いっこんぞめ色（８５．９６／３．７９／４．３４）、コバルトグリーン色（６３．３１／−３２．６７／２０．５５）の４色の糸を各一本挿入し、肌着及び衣服の左右の腕回り部又は左右の肩口の折り返し部の内部又は布の重ね合わさった部分には白色、スカーレット色（４３．４５／５２．２３／４０．３３）、さんご色（６１．１５／３９．２７／１６．９３）、うすくれない色（４３．６８／３３．０２／１７．８６）、濃紺色（１８．３２／７．３９／−２０．２４）、いっこんぞめ色（８５．９６／３．７９／４．３４）の６色の糸を各一本挿入し、肌着及び衣服の胴回りの折り返し部の内部又は布の重ね合わさった部分には、群青色（２８．６４／６．２２／−３３．０９）、ベージュ色（５８．５４／２．０５／１６．１４）、アップルグリーン色（７３．４７／−３６．０５／６５．９４）、ミッドナイトブルー色（２６．４８／３６．６１／−１０．２５）、コバルトグリーン色（６３．３１／−３２．６７／２０．５５）、黒色の６色の糸を各一本挿入した事を特徴とする色刺激用肌着及び衣服。
【手続補正２】
【補正対象書類名】明細書
【補正対象項目名】００２２
【補正方法】変更
【補正の内容】
【００２２】本発明は身体に流れている１４本の各経絡に対し一定の色刺激を各経絡に与えることのできる色刺激用肌着及び衣服であって、肌着及び衣服の頚回りの折返し部
2008006251.tif 000018
２／６．１２／１８．１０）以下同様に表示〕、アップルグリーン色（７３．４７／−３６．０５／６５．９４）、ピアニー色（２６．４８／３６．６１／−１０．２５）、黒色の４色の糸を各一本挿入し、肌着及び衣服の肩上部の折り返し部の内部又は布の重ね合わさった部分にはうすくれない色（４３．６８／３３．０２／１７．８６）、濃紺色（１８．３２／７．３９／−２０．２４）、いっこんぞめ色（８５．９６／３．７９／４．３４）、コバルトグリーン色（６３．３１／−３２．６７／２０．５５）の４色の糸を各一本挿入し、肌着及び衣服の左右の腕回り部又は左右の肩口の折り返し部の内部又は布の重ね合わさった部分には白色、スカーレット色（４３．４５／５２．２３／４０．３３）、さんご色（６１．１５／３９．２７／１６．９３）、うすくれない色（４３．６８／３３．０２／１７．８６）、濃紺色（１８．３２／７．３９／−２０．２４）、いっこんぞめ色（８５．９６／３．７９／４．３４）の６色の糸を各一本挿入し、肌着及び衣服の胴回りの折り返し部の内部又は布の重ね合わさった部分には、群青色（２８．６４／６．２２／−３３．０９）、ベージュ色（５８．５４／２．０５／１６．１４）、アップルグリーン色（７３．４７／−３６．０５／６５．９４）、ミッドナイトブルー色（２６．４８／３６．６１／−１０．２５）、コバルトグリーン色（６３．３１／−３２．６７／２０．５５）、黒色の６色の糸を各一本挿入した事を特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】変更
【補正の内容】
【００２７】この発明に於いて特定した経絡に影響を及ぼした１４本の糸の色を、京都染色試験場において測色して貰った、その試験方法と結果は次の通りである。
１）測色機はＭａｃｂｅｔｈ  Ｃｏｌｏｒ  Ｅｙｅ３０００を使用した
２）測色条件は  ＵＶ（ＩＮ）  ＳＣＥ  ＳＡＶ（ＯＵＴ）Ｃ光源  ２度視野
３）測色は各々の色の試料に対して３回ずつ行い、結果はその平均値を示した。
2008006251.tif 000019
2008006251.tif 000020
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】変更
【補正の内容】
【００２９】
【発明の効果】
このような色刺激用肌着及び衣服を採用することで、
１）  内臓反射点、神経反射点、経穴等の専門知識や筋力テスト法、オーリングテスト法などの専門技術がいらない。
２）  テープ及びシールを貼付、貼着する煩わしさがなく、着用するだけで経絡に色刺激効果を連続して与える事ができ、経絡を賦活し皮膚内臓反射によって身体機能が活性化する。
３）  一経絡に対し一色の色でよく、その太さは糸一本分でよいため、着色部が限りなく少なく、色彩やファッション性に影響を与えない。
４）  どの様な色彩の服と重ね着しても効果が減少しない。
５）  経絡の異常によって起因した筋力の弱化が改善され、経絡に関連した筋肉の筋力が安定し、身体バランスが良くなり筋力の不安定によって引き起こされていた身体各部の痛みなどが改善される。
６）  着脱が簡単である。
７）  折り目の内部に糸を挿入するため表面から着色部がみえない。等の効果が得られる。
【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
身体に流れている１４本の各経絡に対し一定の色刺激を各経絡に与えることのできる色刺激用肌着及び衣服であって、肌着及び衣服の頚回りの折返し部の内部又は布の重ね合わさった部分の内部には任脈に対し
2008006251.tif 000021
以下同様に表示〕、胃経に対しアップルグリーン色（７３．４７／−３６．０５／６５．９４）、督脈に対しピアニー色（２６．４８／３６．６１／−１０．２５）、膀胱経に対し黒色の４色の糸を各一本挿入し、肌着及び衣服の肩上部の折り返し部の内部又は布の重ね合わさった部分の内部には大腸経に対しうすくれない色（４３．６８／３３．０２／１７．８６）、三焦経に対し濃紺色（１８．３２／７．３９／−２０．２４）、小腸経に対しいっこんぞめ色（８５．９６／３．７９／４．３４）、胆経に対しコバルトグリーン色（６３．３１／−３２．６７／２０．５５）の４色の糸を各一本挿入し、肌着及び衣服の左右の腕回り部又は左右の肩口の折り返し部の内部又は布の重ね合わさった部分の内部には肺経に対し白色、心包経に対しスカーレット色（４３．４５／５２．２３／４０．３３）、心経に対しさんご色（６１．１５／３９．２７／１６．９３）、大腸経に対しうすくれない色（４３．６８／３３．０２／１７．８６）、三焦経に対し濃紺色（１８．３２／７．３９／−２０．２４）、小腸経に対しいっこんぞめ色（８５．９６／３．７９／４．３４）の６色の糸を各一本挿入し、肌着及び衣服の胴回りの折り返し部の内部又は布の重ね合わさった部分の内部には、肝経に対し群青色（２８．６４／６．２２／−３３．０９）、脾経に対しベージュ色（５８．５４／２．０５／１６．１４）、胃経に対しアップルグリーン色（７３．４７／−３６．０５／６５．９４）、腎経に対しミッドナイトブルー色（２６．４８／３６．６１／−１０．２５）、胆経に対しコバルトグリーン色（６３．３１／−３２．６７／２０．５５）、膀胱経に対し黒色の６色の糸を各一本挿入した事を特徴とする色刺激用肌着及び衣服。
【手続補正２】
【補正対象書類名】明細書
【補正対象項目名】００２２
【補正方法】変更
【補正の内容】
【００２２】本発明は身体に流れている１４本の各経絡に対し一定の色刺激を各経絡に与えることのできる色刺激用肌着及び衣服であって、肌着及び衣服の頚回りの折返し部の内部又は布の重ね合わさった部分の内部には任
2008006251.tif 000022
１０）以下同様に表示〕、胃経に対しアップルグリーン色（７３．４７／−３６．０５／６５．９４）、督脈に対しピアニー色（２６．４８／３６．６１／−１０．２５）、膀胱経に対し黒色の４色の糸を各一本挿入し、肌着及び衣服の肩上部の折り返し部の内部又は布の重ね合わさった部分の内部には大腸経に対しうすくれない色（４３．６８／３３．０２／１７．８６）、三焦経に対し濃紺色（１８．３２／７．３９／−２０．２４）、小腸経に対しいっこんぞめ色（８５．９６／３．７９／４．３４）、胆経に対しコバルトグリーン色（６３．３１／−３２．６７／２０．５５）の４色の糸を各一本挿入し、肌着及び衣服の左右の腕回り部又は左右の肩口の折り返し部の内部又は布の重ね合わさった部分の内部には肺経に対し白色、心包経に対しスカーレット色（４３．４５／５２．２３／４０．３３）、心経に対しさんご色（６１．１５／３９．２７／１６．９３）、大腸経に対しうすくれない色（４３．６８／３３．０２／１７．８６）、三焦経に対し濃紺色（１８．３２／７．３９／−２０．２４）、小腸経に対しいっこんぞめ色（８５．９６／３．７９／４．３４）の６色の糸を各一本挿入し、肌着及び衣服の胴回りの折り返し部の内部又は布の重ね合わさった部分の内部には、肝経に対し群青色（２８．６４／６．２２／−３３．０９）、脾経に対しベージュ色（５８．５４／２．０５／１６．１４）、胃経に対しアップルグリーン色（７３．４７／−３６．０５／６５．９４）、腎経に対しミッドナイトブルー色（２６．４８／３６．６１／−１０．２５）、胆経に対しコバルトグリーン色（６３．３１／−３２．６７／２０．５５）、膀胱経に対し黒色の６色の糸を各一本挿入した事を特徴とする。